(57)【要約】【課題】収容される放射性廃棄物に充填材よりも比重の小さい放射性廃棄物が混在する場合でも、放射性廃棄物の浮上を抑えて、充填材で充填密閉できる取り付け容易な容器内の放射性廃棄物の浮上防止装置およびその装置を備えた容器を提供する。【解決手段】有底筒状で、縦断面方向内周凹部を側面全周に渡ってリング状に設けた収容容器４０の凹部５に、少なくとも上下方向に固定される固定体４を嵌合し、多数の貫通孔を有し、廃棄物の浮上を防ぐ浮上防止体１０を、連結体１５によって固定体４と連結して収容容器４０に内挿し、連結体１５を少なくとも浮上防止体１０と固定体４の一方とは分離可能とし、浮上防止体１０と固定体４との間隔が大きくなる方向にはロックがかかるようにした。【選択図】図４  
2005227036.tif 000002
【特許請求の範囲】
【請求項１】
有底筒状の収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、
前記容器内周面に固定され、前記浮上防止体を前記容器の中途で支持する支持体と、
前記支持体の上方で前記容器内周面に固定され、前記浮上防止体の上方への移動を規制し、前記支持体との間で前記浮上防止体の浮上を抑制する抑制体と、からなる容器内放射性廃棄物浮上防止装置。
【請求項２】
有底筒状の収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、
前記容器内周面に固定され、前記浮上防止体を前記容器の中途で支持する支持体と、からなり、
前記浮上防止体に、前記支持体に係止して前記浮上防止体の上方への移動を規制する係止体を設けた容器内放射性廃棄物浮上防止装置。
【請求項３】
有底筒状の収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、
前記容器内周面に固定される固定体と、
前記浮上防止体と前記固定体を連結する連結体と、からなり、
前記連結体は少なくとも前記浮上防止体と前記固定体の一方とは分離可能であり、
前記浮上防止体と前記固定体との間隔が大きくなる方向にはロックがかかる容器内放射性廃棄物浮上防止装置。
【請求項４】
浮上防止体と固定体との間隔が変動可能な請求項３に記載の容器内放射性廃棄物浮上防止装置。
【請求項５】
有底筒状で、縦断面方向内周凹部を側面全周に渡ってリング状に設けた収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、
前記凹部に嵌合して、少なくとも上下方向に固定され、前記浮上防止体を前記容器の中途で支持する支持体と、
前記支持体の上方で前記容器内周面に固定され、前記浮上防止体の上方への移動を規制し、前記支持体との間で前記浮上防止体の浮上を抑制する抑制体と、からなる容器内放射性廃棄物浮上防止装置。
【請求項６】
有底筒状で、縦断面方向内周凹部を側面全周に渡ってリング状に設けた収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、
前記凹部に嵌合して、少なくとも上下方向に固定され、前記浮上防止体を前記容器の中途で支持する支持体と、
前記浮上防止体に、前記支持体に係止して前記浮上防止体の上方への移動を規制する係止体を設けた容器内放射性廃棄物浮上防止装置。
【請求項７】
有底筒状で、縦断面方向内周凹部を側面全周に渡ってリング状に設けた収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、
前記凹部に嵌合して、少なくとも上下方向に固定される固定体と、
前記浮上防止体と前記固定体を連結する連結体と、からなり、
前記連結体は少なくとも前記浮上防止体と前記固定体の一方とは分離可能であり、
前記浮上防止体と前記固定体との間隔が大きくなる方向にはロックがかかる容器内放射性廃棄物浮上防止装置。
【請求項８】
浮上防止体と固定体との間隔が変動可能な請求項７に記載の容器内放射性廃棄物浮上防止装置。
【請求項９】
放射性廃棄物を収容する有底筒状の容器と、該容器内の放射性廃棄物浮上防止装置と、からなる放射性廃棄物浮上防止装置付き容器であって、前記放射性廃棄物浮上防止装置は請求項１〜４のいずれか一の請求項に記載の放射性廃棄物浮上防止装置である放射性廃棄物浮上防止装置付き容器。
【請求項１０】
放射性廃棄物を収容する有底筒状で、縦断面方向内周凹部を側面全周に渡ってリング状に設けた容器と、該容器内の放射性廃棄物浮上防止装置と、からなる放射性廃棄物浮上防止装置付き容器であって、前記放射性廃棄物浮上防止装置は請求項５〜８のいずれか一の請求項に記載の放射性廃棄物浮上防止装置である放射性廃棄物浮上防止装置付き容器。
【発明の詳細な説明】
【技術分野】
【０００１】
本発明は、容器内の放射性廃棄物が、容器内に充填される充填材によって浮上するのを防ぐ容器内の放射性廃棄物浮上防止装置、およびその装置を備えた収容容器に関するものである。さらに、詳しく言えば、容器内に収容された放射性廃棄物が、固型化するために容器に充填される充填材によって、浮上するのを防ぐ容器内の放射性廃棄物浮上防止装置、およびその装置を備えた容器に関するものである。
【背景技術】
【０００２】
原子力発電所の運転作業や点検工事などにより、使用した手袋、作業着や交換されたフィルタ、保温材、金属部品、樹脂部品など、様々な放射性廃棄物が発生する。これらの放射性廃棄物は放射能を低減させるため、所定の容器に収容され、モルタルなどで充填密閉されて所定期間、厳重に保管されることになる。
【０００３】
図１０に基づいて、容器に収容された放射性廃棄物の従来の収容方法を説明する。容器に放射性廃棄物が収容されるまでは人間が直接作業をすることができるが、収容後は放射能の影響があるので、充填作業などは隔離された専用室で行なわれ、人間が別室からカメラ監視、遠隔機械操作をする。まず、放射性廃棄物ｔは必要に応じて切断、圧縮、溶融され、所定の分別に従いドラム缶４０に収容され、蓋４１が取付けられる。その後、このドラム缶４０内に蓋４１の注入口４２から充填材（主にモルタルｍが用いられる）を充填して、廃棄物ｔを固型化する。蓋４１には円滑に充填できるように空気抜き口４３が設けられている。モルタルｍは、すべての廃棄物ｔを充填密閉する所定高さまでドラム缶４０内に充填されると、あふれないように充填が止められる。
【０００４】
廃棄物ｔにはモルタルｍよりも比重の小さいものも含まれていて、このような廃棄物ｔはモルタルｍに浮いてしまい、そのままモルタルｍを充填して、固化させればモルタルｍの表面に廃棄物ｔが露出し、廃棄物ｔを充填密閉して固型化するという目的を達成することができない。そこで、何らかの手段で収容される廃棄物ｔをモルタルｍで充填密閉させなければならない。
【０００５】
容器内の収容物浮上防止装置としては、例えば容器上部に収容物浮上防止板を固定する手段を設けて、この固定手段で浮上防止板を容器に固定して、収容物である放射性廃棄物の浮上を抑制する装置が提案されている（特許文献１参照）。ここでは、容器上部に様々な浮上防止板を固定する手段が提案されているが、その固定手段を用いて浮上防止板を固定するには、細かい作業が必要とされる。ところが、放射性廃棄物が収容される場合は、放射能の影響があるため人間が直接、これらの固定手段で浮上防止板を容器に固定することはできず、遠隔機械操作などでこの固定をすることになる。したがって、浮上防止板の容器への固定は単純な作業であることが求められる。また、この提案では、浮上防止板の配置高さを変更するには、その都度、固定具などを変える必要がある。
【０００６】
また、比重がモルタルよりも小さい廃棄物をモルタルで充填密閉させる方法としては、二度、充填をして密閉する方法がある。この方法は、まず通常どおりにモルタルを充填して、そのままモルタルを固化させる。この状態では、固化したモルタル表面に廃棄物が露出して固まっている。そこで、その上から再度、通常どおりにモルタルを充填すると廃棄物はモルタルで固定されていて浮上できずに、二度目に充填したモルタルで密閉できる。
ただし、この方法では最初に充填したモルタルが固化するまで二度目の充填ができず、時間がかかり効率が悪い。
【０００７】
また、比重の小さい廃棄物を比重の大きい重い容器に収納して、その容器ごとドラム缶に収容してモルタルに浮かなくする手段もある。しかし、この方法では、浮上防止用の容器が必要となり、コスト高や作業が煩雑となる。
【特許文献１】特開平８―２６２１８９号
【発明の開示】
【発明が解決しようとする課題】
【０００８】
本発明は前記したような従来技術の問題点を解決するためになされたものである。即ち、収容される放射性廃棄物に充填材よりも比重の小さい放射性廃棄物が混在する場合でも、放射性廃棄物の浮上を抑えて、充填材で充填密閉できる取り付け容易な、容器内の放射性廃棄物の浮上防止装置およびその装置を備えた容器を提供することにある。
【課題を解決するための手段】
【０００９】
請求項１に記載の容器内放射性廃棄物浮上防止装置は、有底筒状の収容容器に収容される放射性廃棄物を固型化するために、該容器内に充填される充填材によって前記廃棄物が浮上するのを防止する容器内放射性廃棄物浮上防止装置であって、前記容器に内挿され、多数の貫通孔を有し、前記廃棄物の浮上を防ぐ浮上防止体と、前記容器内周面に固定され、前記浮上防止体を前記容器の中途で支持する支持体と、前記支持体の上方で前記容器内周面に固定され、前記浮上防止体の上方への移動を規制し、前記支持体との間で前記浮上防止体の浮上を抑制する抑制体と、からなるようにしたものである。
【００１０】
請求項２に記載の容器内放射性廃棄物浮上防止装置は、有底筒状の収容容器に収容される放射性廃棄物を固型化するために、該容器内に充填される充填材によって前記廃棄物が浮上するのを防止する容器内放射性廃棄物浮上防止装置であって、前記容器に内挿され、多数の貫通孔を有し、前記廃棄物の浮上を防ぐ浮上防止体と、前記容器内周面に固定され、前記浮上防止体を前記容器の中途で支持する支持体と、からなり、前記浮上防止体に、前記支持体に係止して前記浮上防止体の上方への移動を規制する係止体を設けたものである。        
【００１１】
請求項３に記載の容器内放射性廃棄物浮上防止装置は、有底筒状の収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、前記容器内周面に固定される固定体と、前記浮上防止体と前記固定体を連結する連結体と、からなり、前記連結体は少なくとも前記浮上防止体と前記固定体の一方とは分離可能であり、前記浮上防止体と前記固定体との間隔が大きくなる方向にはロックがかかるようにしたものである。
【００１２】
請求項４に記載の容器内放射性廃棄物浮上防止装置は、請求項３に記載の浮上防止装置において、浮上防止体と固定体との間隔を変動可能としたものである。
【００１３】
請求項５に記載の容器内放射性廃棄物浮上防止装置は、有底筒状で、縦断面方向内周凹部を側面全周に渡ってリング状に設けた収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、前記凹部に嵌合して、少なくとも上下方向に固定され、前記浮上防止体を前記容器の中途で支持する支持体と、前記支持体の上方で前記容器内周面に固定され、前記浮上防止体の上方への移動を規制し、前記支持体との間で前記浮上防止体の浮上を抑制する抑制体と、からなるようにしたものである。
【００１４】
請求項６に記載の容器内放射性廃棄物浮上防止装置は、有底筒状で、縦断面方向内周凹部を側面全周に渡ってリング状に設けた収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、前記凹部に嵌合して、少なくとも上下方向に固定され、前記浮上防止体を前記容器の中途で支持する支持体と、からなり、前記浮上防止体に、前記支持体に係止して前記浮上防止体の上方への移動を規制する係止体を設けたものである。
【００１５】
請求項７に記載の容器内放射性廃棄物浮上防止装置は、有底筒状で、縦断面方向内周凹部を側面全周に渡ってリング状に設けた収容容器に収容される放射性廃棄物を固型化するために、該容器内に充填される充填材によって前記廃棄物が浮上するのを防止する容器内放射性廃棄物浮上防止装置であって、
前記容器に内挿され、多数の貫通孔を有し、前記廃棄物の浮上を防ぐ浮上防止体と、前記凹部に嵌合して、少なくとも上下方向に固定される固定体と、前記浮上防止体と前記固定体を連結する連結体と、からなり、前記連結体は少なくとも前記浮上防止体と前記固定体の一方とは分離可能であり、前記浮上防止体と前記固定体との間隔が大きくなる方向にはロックがかかるようにしたものである。
【００１６】
請求項８に記載の容器内放射性廃棄物浮上防止装置は、請求項７に記載の浮上防止装置において、浮上防止体と固定体との間隔を変動可能としたものである。
【００１７】
請求項９に記載の放射性廃棄物浮上防止装置付き容器は、放射性廃棄物を収容する有底筒状の容器と、該容器内の放射性廃棄物浮上防止装置と、からなる放射性廃棄物浮上防止装置付き容器であって、前記放射性廃棄物浮上防止装置は請求項１〜４のいずれか一の請求項に記載の放射性廃棄物浮上防止装置としたものである。
【００１８】
請求項１０に記載の放射性廃棄物浮上防止装置付き容器は、放射性廃棄物を収容する有底筒状で、縦断面方向内周凹部を側面全周に渡ってリング状に設けた容器と、該容器内の放射性廃棄物浮上防止装置と、からなる放射性廃棄物浮上防止装置付き容器であって、前記放射性廃棄物浮上防止装置は請求項５〜８のいずれか一の請求項に記載の放射性廃棄物浮上防止装置としたものである。
【発明の効果】
【００１９】
請求項１に記載の放射性廃棄物浮上防止装置は、容器内周面に固定された支持体によって支持され、安定して容器内に配置されることになる。また、抑制体は上方への浮上防止体の移動を抑制するので、浮上防止体を支持体と抑制体との間に嵌め込むだけで容易に取り付けできる。即ち、遠隔機械操作などでも取り付けが容易である。
【００２０】
また、支持体と抑制体との間で浮上防止体を挟むため、確実に浮上防止体の上方への移動を規制できる。そして、浮上防止体には多数の貫通孔が設けられており、この貫通孔を充填材は容易に通過でき、一方で、放射性廃棄物は通過できないので、このフィルタ効果により、確実に浮上防止体より上方へ、放射性廃棄物が浮上するのを防止できる。
即ち、取り付け容易で、確実に放射性廃棄物の浮上を防止できる装置であり、これにより、充填材で放射性廃棄物を充填密閉できる。
【００２１】
請求項２に記載の放射性廃棄物浮上防止装置は、容器内周面に固定された支持体で、浮上防止体を容器中途で支持させ、浮上防止体に設けた係止体をこの支持体に係止させるだけで、浮上防止体の上方への移動を確実に規制できる。また浮上防止体のフィルタ効果により放射性廃棄物の浮上を確実に防ぐことができる。
即ち、取り付け容易で、確実に放射性廃棄物の浮上を防止できる装置であり、これにより、充填材で放射性廃棄物を充填密閉できる。
【００２２】
請求項３に記載の放射性廃棄物浮上防止装置は、浮上防止体と固定体との間隔が大きくなる方向にはロックがかかるので、浮上防止体の上方への移動を確実に規制できる。
【００２３】
また、連結体は少なくとも前記浮上防止体と前記固定体の一方とは分離可能なので、放射性廃棄物を容器に収容する前に人間が直接、固定体を容器に固定できる。そして、放射性廃棄物を容器に収容後、遠隔機械操作などで浮上防止体と固定体を連結できるので、人間と機械の分業ができ、連結作業が簡単である。
即ち、取り付け容易で、確実に放射性廃棄物の浮上を防止できる装置であり、これにより、充填材で放射性廃棄物を充填密閉できる。
【００２４】
請求項４に記載の放射性廃棄物浮上防止装置は、浮上防止体と固定体との間隔が変動可能なので、収容する廃棄物の種類、量などに応じて容易に浮上防止体の配置高さを変えることができ、作業効率が向上する。
【００２５】
また、ロックされて浮上防止体の上方移動を確実に規制でき、固定体と浮上防止体が分離可能なので人間と機械の分業ができ、連結作業が簡単である。
即ち、取り付け容易で、確実に放射性廃棄物の浮上を防止できる装置であり、これにより、充填材で放射性廃棄物を充填密閉できる。
【００２６】
請求項５に記載の放射性廃棄物浮上防止装置は、支持体が、容器内周面のリング状の凹部を利用して嵌合固定されるので、固定作業が簡素化でき、また強固に固定することができる。
【００２７】
また、この装置は容器内周面に固定された支持体によって支持され、安定して容器内に配置されることになる。また、抑制体は上方への浮上防止体の移動を抑制するので、浮上防止体を支持体と抑制体との間に嵌め込むだけで容易に取り付けできる。即ち、遠隔機械操作などでも取り付けが容易である。
【００２８】
さらに、支持体と抑制体との間で浮上防止体を挟むため、確実に浮上防止体の上方への移動を規制できる。そして、浮上防止体には多数の貫通孔が設けられており、この貫通孔を充填材は容易に通過でき、一方で、放射性廃棄物は通過できないので、このフィルタ効果により、確実に浮上防止体より上方へ、放射性廃棄物が浮上するのを防止できる。
即ち、取り付け容易で、確実に放射性廃棄物の浮上を防止できる装置であり、これにより、充填材で放射性廃棄物を充填密閉できる。
【００２９】
請求項６に記載の放射性廃棄物浮上防止装置は、支持体が、容器内周面のリング状の凹部を利用して嵌合固定されるので、固定作業が簡素化でき、また強固に固定することができる。
【００３０】
また、この装置は容器内周面に固定された支持体で、浮上防止体を容器中途で支持させ、浮上防止体に設けた係止体をこの支持体に係止させるだけで、浮上防止体の上方への移動を確実に規制できる。また浮上防止体のフィルタ効果により放射性廃棄物の浮上を確実に防ぐことができる。
即ち、取り付け容易で、確実に放射性廃棄物の浮上を防止できる装置であり、これにより、充填材で放射性廃棄物を充填密閉できる。
【００３１】
請求項７に記載の放射性廃棄物浮上防止装置は、固定体が、容器内周面のリング状の凹部を利用して嵌合固定されるので、固定作業が簡素化でき、また強固に固定することができる。
【００３２】
また、浮上防止体と固定体との間隔が大きくなる方向にはロックがかかるので、浮上防止体の上方への移動を確実に規制できる。
【００３３】
さらに、連結体は少なくとも前記浮上防止体と前記固定体の一方とは分離可能なので、放射性廃棄物を容器に収容する前に人間が直接、固定体を容器に固定できる。そして、放射性廃棄物を容器に収容後、遠隔機械操作などで浮上防止体と固定体を連結できるので、人間と機械の分業ができ、連結作業が簡単である。
即ち、取り付け容易で、確実に放射性廃棄物の浮上を防止できる装置であり、これにより、充填材で放射性廃棄物を充填密閉できる。
【００３４】
請求項８に記載の放射性廃棄物浮上防止装置は、固定体が、容器内周面のリング状の凹部を利用して嵌合固定されるので、固定作業が簡素化でき、また強固に固定することができる。
【００３５】
また、浮上防止体と固定体との間隔が変動可能なので、収容する廃棄物の種類、量などに応じて容易に浮上防止体の配置高さを変えることができ、作業効率が向上する。
【００３６】
さらに、ロックされて浮上防止体の上方移動を確実に規制でき、固定体と浮上防止体が分離可能なので人間と機械の分業ができ、連結作業が簡単である。
即ち、取り付け容易で、確実に放射性廃棄物の浮上を防止できる装置であり、これにより、充填材で放射性廃棄物を充填密閉できる。
【００３７】
請求項９に記載の放射性廃棄物浮上防止装置付き容器は、放射性廃棄物浮上防止体の取り付けが容易で、確実に放射性廃棄物の浮上を防止できる。これにより、充填材で放射性廃棄物を充填密閉できる。
【００３８】
請求項１０に記載の放射性廃棄物浮上防止装置付き容器は、容器内周面のリング状の凹部を利用して放射性廃棄物浮上防止体が固定されるので、固定作業が簡素化でき、また強固に固定することができる。
そして、確実に放射性廃棄物の浮上を防止して、充填材で放射性廃棄物を充填密閉できる。
【発明を実施するための最良の形態】
【００３９】
本発明に係る放射性廃棄物浮上防止装置の第一の実施形態を図１、２に基づいて説明する。放射性廃棄物浮上防止装置は、支持体２と、抑制体３と、浮上防止体１０と、から構成される。金属製の支持体２が容器であるドラム缶４０の内周面の上部に均等に３個、溶接で固定されている。固定する位置は適宜、決定する。ただし、浮上防止体１０を支持する面は平坦で、それぞれの支持体２が同じ水平レベルであることが望ましい。また、数量は特に、限定されないが、コストや安定性を考慮すると、２個〜６個、好ましくは３個〜４個とされる。また、素材は金属などの強度があるものが望ましい。通常、ドラム缶４０はステンレス鋼製なので、ドラム缶４０の素材も考慮して固定し易い素材を採用する。
【００４０】
抑制体３は金属製で、斜め下向きに突出する突出部を有し、ドラム缶の内周面の上部に均等に３個、溶接で固定されている。固定する位置は適宜、決定する。このとき、支持体２との高さ方向の間隔を浮上防止体１０の厚みよりも大きくとる。突出部の突出量や角度は、浮上防止体１０を取り付け易く、かつ上方移動を規制できるように適宜、決定する。この実施形態では抑制体３の突出部を弾性変形させ、浮上防止体１０を抑制体３と支持体２との間に嵌めこむようにしている。それぞれの抑制体３は同じ水平レベルであることが望ましく、数量は特に、限定されないが、コストや安定性を考慮すると、２個〜６個、好ましくは３個〜４個とされる。また、支持体２の真上に配置せずに、周方向をずらして配置してもよい。素材は金属などの強度があるものが望ましく、通常、ドラム缶４０はステンレス鋼製なので、ドラム缶４０の素材も考慮して固定し易い素材を採用する。
【００４１】
浮上防止体１０は炭素鋼製で、ドラム缶４０の内径とぼぼ同じ外径をした円柱体で、格子状となっている。素材は特に限定されないが、強度のある素材がよい。また、格子の大きさは、モルタルｍが通り抜けられて、放射性廃棄物ｔは通り抜けることができないものとする。
【００４２】
つぎに、この装置の使用方法について説明する。
まず、ドラム缶４０内周面に支持体２と抑制体３が取り付けられる。その後、ドラム缶４０に放射性廃棄物ｔが収容される。これ以降の作業は放射能の影響があるので、遠隔機械操作などになる。ドラム缶４０内に浮上防止体１０が下向きに押し込まれ、支持体２と抑制体３に挟まれた状態となる。この浮上防止体１０の取り付けは、単にドラム缶４０内に押し込むだけなので、遠隔機械操作でも簡単である。
【００４３】
この状態でドラム缶４０にモルタルｍが充填される。モルタルｍは浮上防止体１０の格子を通り抜け下に落ち、徐々に充填されてゆく。放射性廃棄物ｔがモルタルｍよりも比重が小さい場合は、モルタルｍに浮くことになり、モルタルｍの液位上昇とともに浮上してくる。ところが、浮上防止体１０の高さまでくると、格子を通り抜けることができないので、この位置で浮上がとまり、その後もモルタルｍが充填され、所定の高さまで達すると充填が完了する。ここで、浮上防止体１０はモルタルｍや浮上した放射性廃棄物ｔから浮力を受けるが、抑制体３によって上方移動が規制されるのでその位置に留まることができる。
その後、モルタルｍが固まり、放射性廃棄物ｔを充填密閉することができる。
【００４４】
この実施形態では、支持体２と抑制体３を別部品としたが、図３のように一体化することもできる。これはステンレス鋼板を曲げ加工したものである。突出部は素材の弾性変形で可動し、浮上防止体１０の下方移動は可能として、上方移動を規制するようになっている。上方への可動を規制するヒンジ構造などにしてもよい。
【００４５】
つぎに、本発明に係る放射性廃棄物浮上防止装置の第二の実施形態を図４、５に基づいて説明する。
この装置は、固定体４と、連結体１５と、浮上防止体１０と、から構成される。
この容器は周方向全周に渡ってリング状に設けられた縦断面凹部５を有するステンレス鋼製のドラム缶４０である。この凹部５に金属製の環状をした固定体４が嵌合して、ドラム缶４０に固定され、固定体４には先端に結束部２１を備えた連結体１５が２本、上に向かって取り付けられている。
【００４６】
固定体４の環状の部分は、図７に示すように、環状体の一部を欠いたC字状体４１と、この欠けた部分を埋める円弧状体４２からなっている。このC字状体４１に円弧状体４２を差し込むとドラム缶４０のリング状の凹部５に強固に嵌合することになる。この固定体４の構造は本発明に係る支持体２にも用いることができる。
この固定方法は、凹部にC字状体または環状体を嵌合させ、周方向に適度なテンションをかければよく、この実施形態の方法に限定されない。
【００４７】
浮上防止体１０の下面には下に向かって連結体１５が２本取り付けられ、固定体４の連結体１５とそれぞれ結束部２１で束ねられ、図５に示すように、のこぎり状が相互に噛み合い、浮上防止体１０の下方移動を可能としつつ、上方移動を規制するようなになっている。即ち、この連結により、固定体４と浮上防止体１０との間隔が変動可能で、この間隔が大きくなる向きにはロックされることになる。
収容される放射性廃棄物ｔの種類、量によってこの間隔を変えて使用する。そして、ロック機構によって、浮上防止体１０が浮力を受けても上方移動が規制される。
連結体１５の数は特に、限定されないが、コストや安定性を考慮すると、２個〜６個、好ましくは３個〜４個とされる。
【００４８】
つぎに、この装置の使用方法について説明する。
まず、ドラム缶４０内周の凹部５にC字状体４１が嵌め込まれ、その後、円弧状体４２がくさびのごとく差し込まれて固定体４がドラム缶４０に強固に固定される。この作業は人間が行い、次にドラム缶４０に放射性廃棄物ｔが収容され、以降の作業は遠隔機械操作などで行なわれる。
固定体４の連結体１５先端の結束部２１に浮上防止体１０の連結体１５が挿入され、そのまま押し込まれて所定の高さでロックされる。これでこの装置の取り付けが完了し、遠隔機械操作は非常に簡単な作業である。
【００４９】
モルタルｍが充填されてから、放射性廃棄物ｔが充填密閉されるまでのしくみは第一の実施形態と同じである。
【００５０】
つぎに、第三の実施形態を図６に基づいて説明する。
放射性廃棄物浮上防止装置は、固定体４と、連結体１５と、浮上防止体１０と、から構成される。
この容器は周方向全周に渡ってリング状に設けられた縦断面凹部５を有するステンレス鋼製のドラム缶４０である。固定体４は伸縮自在のポール部４３の両端に円弧状部４４が備わっており、また、ポール部４３には２個の連結貫通孔４６が設けられている。
【００５１】
固定体４の固定は、ドラム缶４０内周の凹部５に固定体４両端の円弧状部４４を嵌め込みつつ、ドラム缶４０の内径となるまでポール部４３を伸ばし、固定ネジ４５でポール部４３の長さを固定すると、固定体４はドラム缶４０に強固に固定される。
この固定体４の構造は本発明に係る支持体２にも用いることができる。
この固定方法は、ポール状の両端を凹部に嵌合させ、直径方向に適度なテンションをかければよく、この実施形態の方法に限定されない。
【００５２】
浮上防止体１０の下面には下に向かって連結体１５が２本取り付けられ、それぞれ固定体４の連結貫通孔４６に挿通され、浮上防止体１０の下方移動を可能としつつ、上方移動を規制するようなになっている。即ち、この連結により、固定体４と浮上防止体１０との間隔が変動可能で、この間隔が大きくなる向きにはロックされることになる。
収容される放射性廃棄物ｔの種類、量によってこの間隔を変えて使用する。そして、ロック機構によって、浮上防止体１０が浮力を受けても上方移動が規制される。
連結体１５と連結貫通孔４６の数は特に、限定されないが、コストや安定性を考慮すると、２個〜６個、好ましくは３個〜４個とされる。
【００５３】
つぎに、この装置の使用方法について説明する。
まず、ドラム缶４０の凹部５に固定体４を固定する。この作業は人間が行い、次にドラム缶４０に放射性廃棄物ｔが収容され、以降の作業は遠隔機械操作などで行なわれる。
固定体４の連結貫通孔４６に浮上防止体１０の連結体１５が挿入され、そのまま押し込まれて所定の高さでロックされる。これでこの装置の取り付けが完了し、遠隔機械操作は非常に簡単な作業である。
【００５４】
モルタルｍが充填されてから、放射性廃棄物ｔが充填密閉されるまでのしくみは第一の実施形態と同じである。
【００５５】
つぎに、第四の実施形態を図８、９に基づいて説明する。
この装置は、支持体２と、浮上防止体１０と、から構成される。
浮上防止体１０の下部には外側に突出する部分を有する係止体１１が設けられていて、浮上防止体１０下面と係止体１１とで、支持体２を挟み、浮上防止体１０を安定させ、上方移動を規制する。
支持体２と係止体１１の数は特に、限定されないが、コストや安定性を考慮すると、２個〜６個、好ましくは３個〜４個とされる。支持体２をドラム缶４０内周全周にリング状に設けてもよい。
また、図１１のように浮上防止体１０の上方に外側に突出する突出部１２を設け、浮上防止体１０の上面を係止体１１とし、支持体２を挟み、浮上防止体１０を安定させ、上方移動を規制することもできる。
【００５６】
つぎに、この装置の使用方法について説明する。
まず、ドラム缶４０内周面に支持体２が取り付けられる。この作業は人間が行い、次にドラム缶４０に放射性廃棄物ｔが収容され、以降の作業は遠隔機械操作などで行なわれる。
浮上防止体１０を支持体２の上に置き、そのまま回転させて、係止体１１を支持体２に係止させ、この装置の取り付けが完了する。もしくは、係止体１１を弾性変形し易いものとし、支持体２と係止体１１の位置が合致する位置で浮上防止体１０を下方に押し込んで、係止体１１を支持体２に係止させることもできる。いずれも、遠隔機械操作としては非常に簡単な作業である。
【００５７】
モルタルｍが充填されてから、放射性廃棄物ｔが充填密閉されるまでのしくみは第一の実施形態と同じである。
【図面の簡単な説明】
【００５８】
【図１】本発明に係る放射性廃棄物浮上防止装置の第一の実施形態の構造を示す斜視図である。
【図２】第一の実施形態の使用状況を示す概要図である。
【図３】第一の実施形態の支持体と抑制体を一体化した例を示す概要図である。
【図４】第二の実施形態の構造を示す一部切り欠き斜視図である。
【図５】第二の実施形態の連結構造を示す拡大概要図である。
【図６】第三の実施形態の構造を示す斜視図である。
【図７】第二の実施形態の固定体の一部を示す概要図である。
【図８】第四の実施形態の取り付け状態を示す透視側面図である。
【図９】第四の実施形態の浮上防止体の構造を示す斜視図である。
【図１０】従来の充填材を充填する方法を示す概要斜視図である。
【図１１】第四の実施形態の変形例を示す斜視図である。
【符号の説明】
【００５９】
２  支持体    ３  抑制体    ４  固定体    ５  リング状の凹部
１０  浮上防止体    １１  係止体    １２  突出部    １５  連結体
２１  結束部    ３１  C字状体    ３２  円弧状体    ３３  ポール部
４４  円弧状部      ４５  固定ネジ      ４６  連結貫通孔
４０  放射性廃棄物収容容器（ドラム缶）
４１  蓋      ４２  注入口      ４３  空気抜き口
【図１】
2005227036.tif 000003
【図２】
2005227036.tif 000004
【図３】
2005227036.tif 000005
【図４】
2005227036.tif 000006
【図５】
2005227036.tif 000007
【図６】
2005227036.tif 000008
【図７】
2005227036.tif 000009
【図８】
2005227036.tif 000010
【図９】
2005227036.tif 000011
【図１０】
2005227036.tif 000012
【図１１】
2005227036.tif 000013